(57)【要約】【課題】ケーブルを内蔵するケーブル管同士を接合するケーブル管継手の接合部からの浸水をより一層防止することができるケーブル管継手を得ること。また、ケーブル管の内に防水チューブと水滴防止材を配設することにより、一層液密性の高いケーブル管継手用ケーブル管組立体を得ること。更に、上記ケーブル管継手を、水滴の受け易い条件下で、使用する場合に、優れた防水作用を得ることができるケーブル管継手を用いたケーブル接合装置を得ること。【解決手段】ケーブル管継手１７は、ケーブル管１５ａ，１６ａ同士を接合させたケーブル管継手本体２２と、上記ケーブル管１５ａ，１６ａ同士の接続部に配設されたシールパッキング３０と、上記ケーブル管１６ａ側に設けられ、他方のケーブル管１５ａ側へ螺合することにより、上記シールパッキング３０が上記両ケーブル管１５ａ，１６ａに圧接状態に取り付けられる袋ナット２３とを備える。【選択図】  図１
2005261137.tif 000002
【特許請求の範囲】
【請求項１】
ケーブル管同士を接続させたケーブル管継手本体と、
上記ケーブル管同士の接合部に配設されたシールパッキングと、
上記ケーブル管の一方に設けられ、他方のケーブル管側へ螺合することにより、上記シールパッキングが上記両ケーブル管に圧接状態に取り付けられる袋ナットとを備えたことを特徴とするケーブル管継手。
【請求項２】
ケーブル管同士を接続させたケーブル管継手本体と、
上記ケーブル管同士の接合部に配設されたシールパッキングと、
上記シールパッキングを、上記両ケーブル管の内側からシールするように、取り付けられる水滴封止材と、
上記ケーブル管の一方に設けられ、他方のケーブル管側へ螺合することにより、上記シールパッキングが上記両ケーブル管に圧接状態に取り付けられる袋ナットとを備えたことを特徴とするケーブル管継手。
【請求項３】
ケーブル管同士を接続させたケーブル管継手本体と、
上記ケーブル管同士の接合部に配設されたシールパッキングと、
上記シールパッキングと、上記防水チューブの開口端部との間に跨って、ケーブル管と防水チューブとの間を外部とシールするように設けられる防水カラーと、
上記ケーブル管の一方に設けられ、他方のケーブル管側へ螺合することにより、上記シールパッキングが上記両ケーブル管に圧接状態に取り付けられる袋ナットとを備えたことを特徴とするケーブル管継手。
【請求項４】
ケーブルおよびこのケーブルの外側を覆うように配設される防水チューブを導通させた一方のケーブル管および他方のケーブル管とを、それぞれの開口端部側にて接続させたケーブル管継手本体と、
上記両ケーブル管の各開口端部の接続部に設けられるシールパッキングと、
上記シールパッキングと防水チューブの開口端部との間に跨って、ケーブル管と防水チューブとの間をシールするように設けられる防水カラーと、
上記シールパッキングとケーブル管継手本体の接合部を外側から塞ぐように配設される水滴封止材と、
上記ケーブル管側開口端部に設けられ、上記ケーブル管継手本体側に対して固定可能に設けられる袋ナットとを備えたことを特徴とするケーブル管継手。
【請求項５】
ケーブル管と、
上記ケーブル管内に、当該ケーブル管内壁と所要の間隙をとって導入される防水チューブと、
上記ケーブル管と防水チューブとの間隙に配設される水滴封止材と、
上記防水チューブ内に導入されるケーブルとを具備し、
上記水滴封止材が水滴を含むことにより膨張して上記ケーブル管および防水チューブの対向面側に圧着されるようにしたことを特徴とするケーブル管継手用ケーブル管組立体。
【請求項６】
上記水滴封止材は、上記ケーブル管と防水チューブの間隙内の要所に配設したことを特徴とする請求項５記載のケーブル管継手用ケーブル管組立体。
【請求項７】
上記水滴封止材は、圧電センサを備え、水滴封止材が吸水して膨張した場合に、この圧電センサにより膨張により掛かる圧力を検知し得るようにしたことを特徴とする請求項５または６記載のケーブル管継手用ケーブル管組立体。
【請求項８】
上記水滴封止材は、湿度センサを備え、水滴封止材が吸水した場合に、この湿度センサにより吸水を検知し得るようにしたことを特徴とする請求項５または６記載のケーブル管継手用ケーブル管組立体。
【請求項９】
構造物側の壁面の高位置に支持される剛性を有する構造物側ケーブル管組立体と、
構造物側の低位置に接合される可撓性を有する構造物側ケーブル管組立体と、上記両ケーブル管組立体を接合するケーブル管継手とを具備し、
上記ケーブル管継手は、上記一方の構造物側ケーブル管組立体に設けられる袋ナットとを備え、この袋ナットを他方の構造物ケーブル管組立体側に螺合して両構造物側ケーブル管組立体同士を接合したことを特徴とするケーブル接合装置。
【発明の詳細な説明】
【技術分野】
【０００１】
本発明は、電源ケーブル等のケーブルを接続するケーブル管継手、このケーブル管継手を用いて接続されるケーブル管組立体、このケーブル管継手を用いたケーブル接合装置に係り、ケーブル管継手、このケーブル管継手用ケーブル管組立体並びにこのケーブル管継手を用いたケーブル接合装置に関する。
【背景技術】
【０００２】
従来、この種ケーブル管継手として、ケーブル管の接合をするのに、防水性能を有するケーブル管継手が用いられている。このケーブル管継手は、水を扱う環境下に置かれて使用される場合を考慮して、一定の防水処置がなされた構成のものを採用している。このような、防水処置が施されたケーブル管継手として、特開平５−２５８７８６号公報（特許文献１参照）に開示されたものがある。
【０００３】
図５に示すケーブル管継手１によれば、多芯ケーブル等のケーブル２が、コネクタ３を介して図示しないコンタクト側に接合されている。ケーブル２とコネクタ３の接合部には、外側から防水チューブ４が設けられている。また、この防水チューブ４と、ケーブル２およびコネクタ３の接続部を覆うように熱収縮チュウブ５を設けている。防水チューブ４は、水分を含むことにより、自ら膨張して体積が増加し、その厚みが増加するものである。従って、熱収縮チュウブ５の寸法変化は、実質的に生じないため、防水チューブ４は、熱収縮チュウブ５と上記接合部との間に圧入された状態となり、この接合部からの水の浸入が防止できるようになっている。
【特許文献１】特開平５−２５８７８６号公報（第２頁右欄の第２８〜４５行および図１）
【発明の開示】
【発明が解決しようとする課題】
【０００４】
従来、ケーブル管継手１によれば、この管継手１が、水滴が侵入して来る虞がある環境で使用される場合には、一定の防水効果が得られるようになっている。
【０００５】
しかしながら、このケーブル管継手１に接合される、ケーブル２およびコネクタ３の他端側のコンタクトまで接合されるケーブル（図示せず）が、水滴を発生させる構造物、例えば給水装置等の貯留タンク（図示せず）の壁面側において、支持されて使用される場合に、ケーブル２の外表面に水滴が付着する現象が生じる。こうした状態に長時間放置された場合には、ケーブル２およびコネクタ３と熱収縮チューブ４との接触面部の液密性が徐々に劣化し、次第に水分が浸入して、防水チューブ４をも劣化させ、延いては、ケーブル２とコネクタ３との接合部から水分が浸入することになる。
【０００６】
従って、ケーブル２とコネクタ３との接合不良を起こし、例えばケーブル２が電気ケーブルや信号ケーブルである場合には、通電、通信不良を起こして不通になったり、漏電や誤通信を誘発する可能性を有していた。
【０００７】
本発明は、上記事情に鑑みてなされたもので、ケーブルに対して防水性能を一層向上させたケーブル管継手を提供することを目的とすることを主な目的とする。
【０００８】
また、本発明の他の目的は、上記ケーブル管継手に液密的に接続するに適するケーブル管継手用ケーブル管組立体を提供することにある。
【０００９】
更にまた、本発明の他の目的は、上記ケーブル管継手を用いた防水性能の優れたケーブル接合装置を提供することを目的とする。
【課題を解決するための手段】
【００１０】
上記目的を達成するために、本発明によれば、ケーブル管同士を接続させたケーブル管継手本体と、上記ケーブル管同士の接合部に配設されたシールパッキングと、上記ケーブル管の一方に設けられ、他方のケーブル管側へ螺合することにより、上記シールパッキングが上記両ケーブル管に圧接状態に取り付けられる袋ナットとを備えたことを特徴とするケーブル管継手を提供する。
【００１１】
上記目的を達成するために、本発明によれば、ケーブル管同士を接続させたケーブル管継手本体と、上記ケーブル管同士の接合部に配設されたシールパッキングと、上記シールパッキングを、上記両ケーブル管の内側からシールするように、取り付けられる水滴封止材と、上記ケーブル管の一方に設けられ、他方のケーブル管側へ螺合することにより、上記シールパッキングが上記両ケーブル管に圧接状態に取り付けられる袋ナットとを備えたことを特徴とするケーブル管継手を提供する。
【００１２】
上記目的を達成するために、本発明によれば、ケーブル管同士を接続させたケーブル管継手本体と、上記ケーブル管同士の接合部に配設されたシールパッキングと、上記シールパッキングと、上記防水チューブの開口端部との間に跨って、ケーブル管と防水チューブとの間を外部とシールするように設けられる防水カラーと、上記ケーブル管の一方に設けられ、他方のケーブル管側へ螺合することにより、上記シールパッキングが上記両ケーブル管に圧接状態に取り付けられる袋ナットとを備えたことを特徴とするケーブル管継手を提供する。
【００１３】
上記目的を達成するために、本発明によれば、ケーブルおよびこのケーブルの外側を覆うように配設される防水チューブを導通させた一方のケーブル管および他方のケーブル管とを、それぞれの開口端部側にて接続させたケーブル管継手本体と、上記両ケーブル管の各開口端部の接続部に設けられるシールパッキングと、上記シールパッキングと防水チューブの開口端部との間に跨って、ケーブル管と防水チューブとの間をシールするように設けられる防水カラーと、上記シールパッキングとケーブル管継手本体の接合部を外側から塞ぐように配設される水滴封止材と、上記ケーブル管側開口端部に設けられ、上記ケーブル管継手本体側に対して固定可能に設けられる袋ナットとを備えたことを特徴とするケーブル管継手を提供する。
【００１４】
上記目的を達成するために、本発明によれば、ケーブル管と、上記ケーブル管内に、当該ケーブル管内壁と所要の間隙をとって導入される防水チューブと、上記ケーブル管と防水チューブとの間隙に配設される水滴封止材と、上記防水チューブ内に導入されるケーブルとを具備し、上記水滴封止材が水滴を含むことにより膨張して上記ケーブル管および防水チューブの対向面側に圧着されるようにしたことを特徴とするケーブル管継手用ケーブル管組立体を提供する。
【００１５】
上記目的を達成するために、本発明によれば、構造物側の壁面の高位置に支持される剛性を有する構造物側ケーブル管組立体と、構造物側の低位置に接合される可撓性を有する構造物側ケーブル管組立体と、上記両ケーブル管組立体を接合するケーブル管継手とを具備し、上記ケーブル管継手は、上記一方の構造物側ケーブル管組立体に設けられる袋ナットとを備え、この袋ナットを他方の構造物ケーブル管組立体側に螺合して両構造物側ケーブル管組立体同士を接続したケーブル接合装置を提供する。
【発明の効果】
【００１６】
ケーブル管同士を接合するケーブル管継手を水を扱う条件下で使用される場合、この接合部からの浸水をより一層防止することができるケーブル管を接合するケーブル管継手を提供することができる。
【００１７】
また、ケーブル管の内に配設される防水チューブと、このケーブル管と防水チューブとの間隙に配設される水滴防止材による２重管構成により、防水処置が施されることにより、一層液密性の高いケーブル管継手用ケーブル管組立体を提供することができる。
【００１８】
更に、上記ケーブル管継手を、水滴の受け易い条件下で、使用する場合に、優れた防水作用を得ることができるケーブル管継手を用いたケーブル接合装置を提供することができる。
【発明を実施するための最良の形態】
【００１９】
本発明にかかるケーブル接合装置の実施形態について、添付図面を参照して説明する。
【００２０】
図１は、本発明のケーブル接合装置の概要を示す図である。
【００２１】
図１は、ケーブル接合装置として、構造物の一つに適用される、例えば貯水タンク装置１０について説明する。
【００２２】
この貯水タンク装置１０は、例えば自家用の給水装置として屋内の設置面１１に設置される。貯水タンク装置１０は、貯水タンク１２と、この貯水タンク１２側へ給水管（図示せず）を介して給水する給水ポンプ１３と、貯水タンク１２の壁面１２ａ側の、例えば上下方向に沿って配設されると共に、給水ポンプ１３の駆動モータ１３ａ側へ接合されるケーブル管敷設装置１４とから構成される。
【００２３】
ケーブル管敷設装置１４は、貯水タンク１２の壁面１２ａに沿って配設される一方の構造物側ケーブル管組立体（以下、壁面側ケーブル管組立体という。）１５と、給水ポンプ１３側へ配設される、他方の構造物側ケーブル管（以下、モータ側ケーブル管組立体という。）１６と、これらの両ケーブル管組立体１５および１６とをそれぞれの開口部側を合致させて液密的に接合するケーブル管継手１７、モータ側ケーブル管組立体１６の開口端部に設けられたケーブル管継手１８とより構成される。
【００２４】
給水ポンプ１３は、駆動モータ１３ａと、端子箱１３ｂとを備える。端子箱１３ｂは、駆動モータ１３ａ側へのケーブル管導入部として設けられるもので、モータ側ケーブル管組立体１６側のケーブル管継手１８と接続させるためのものである。
【００２５】
壁面側ケーブル管組立体１５は、そのケーブル管１５ａが剛性を有する、例えば硬質プラスチック製のもので、ケーブル管１５ａを介して、貯水タンク１２の壁面１２ａの上下部２箇所にケーブル管支持具２１，２１により支持されている。
【００２６】
壁面側ケーブル管組立体１５は、そのケーブル管１５ａが硬質であるので、ケーブル管支持具２１，２１にて貯水タンク１２の壁面１２ａ側に支持した際に押圧されても潰れることなく支持される。壁面側ケーブル管組立体１５内には、防水チューブ１９および電気ケーブル２０が貫通して配設される。
【００２７】
モータ側ケーブル管組立体１６のケーブル管１６ａは、例えば軟質塩化ビニール製の可撓性を有するものである。
【００２８】
モータ側ケーブル管組立体１６は、ケーブル管継手１７，１８間に懸吊された状態に支持される。モータ側ケーブル管組立体１６は、軟質で屈曲可能であるのでケーブル管継手１７，１８間に懸吊する際に、設置性や作業性がよい。
【００２９】
このモータ側ケーブル管組立体１６内には、壁面側ケーブル管組立体１５側から延出する防水チューブ１９および電気ケーブル２０が貫通して配設される。
【００３０】
モータ側ケーブル管組立体１６のケーブル管１６ａは、ケーブル管継手１７側において結合支持されるので、この結合部が堅固に支持される。
【００３１】
電気ケーブル２０は、吸水ポンプ１３の駆動モータ１３ａ側への駆動電源供給用の電線２０ａを有する被覆電線である。電気ケーブル２０は、ケーブル管継手２１を介して吸水ポンプ１３側へ接続される。
【００３２】
ケーブル管継手１７は、図２に示すように、壁面側ケーブル管組立体１５のケーブル管１５ａの端部に予め固設されたケーブル管継手本体２２と、モータ側ケーブル管組立体１６のケーブル管１６ａの端部に予め保持された袋ナット２３とを備えている。この袋ナット２３を操作することにより、両ケーブル管組立体１５，１６が液密性を保持したまま接合される。
【００３３】
ケーブル管継手本体２２は、筒状部の外周フランジ２２ａを設け、この外周フランジ２２ａを中心に、一方側および他方側にケーブル管１５ａ，１６ｂの接合する筒状部２２ｂおよび２２ｃを形成している。
【００３４】
すなわち、袋ナット２３を締め付け操作するにあたって、両ケーブル管組立体１５，１６の端部が相互に突き合わされて１本の連続したケーブル管組立体１５ａ，１５ｂが構成される。
【００３５】
具体的には、両ケーブル管組立体１５，１６のそれぞれのケーブル管１５ａ，１６ａの開口端部をシールパッキング３０を介して予め接合し、この接合部の内側から当該接合部に吸水性ポリマー製の水滴封止材３２が取り付けられる。この吸水性ポリマー製の水滴封止材３２は、例えば保水材等に使用されているポリアクリル酸塩系ポリマー等を不織布製シート袋に詰めたものである。
【００３６】
この水滴封止材３２は、染込み水等の液体に対して一層のシール作用を得ることができる。水滴封止材３２は、取り付け作業時に脱落しないように、下方側から、例えば弾性の保持具３１により保持している。
【００３７】
袋ナット２３は、ケーブル管１６ａの開口端部に設けられる外周フランジ部１６ａ１に係合し、ケーブル管継手本体２２の筒状部２２ｃ側へ螺合され、緊締されるように設けられる。
【００３８】
シールパッキング３０は、ケーブル管１５ａ，１６ａの両開口端部にあって、圧接させた状態に保持される。
【００３９】
袋ナット２３は、ケーブル管継手本体２２側へ螺合することによりケーブル管１６ａ側とケーブル管継手本体２２側とを強固に結合させることができる。
【００４０】
次に、ケーブル管継手１８は、図１および図３（ａ）に示すように、吸水ポンプ１３の端子箱１３ｂ（想像線図示）に取り付けられる。
【００４１】
図３（ａ）は、図１のケーブル管継手２１の一部を縦断面にて示している。
【００４２】
ケーブル管継手１８は、端子箱１３ｂ（想像線図示）側に取り付けられるケーブル管継手本体４０と、ケーブル管１６ａ側に設けられる袋ナット４１とより構成される。
【００４３】
ケーブル管継手本体４０には、外周フランジ部４０ａが形成され、一方側の小径筒状部４０ｂと、他方側の径大筒状部４０ｃが設けられる。
【００４４】
端子箱１３ｂには、ケーブル管継手本体４０の小径筒状部４０ｂを貫通させて取り付ける貫通穴１３ｂ２を形成している。小径筒状部４０ｂの外周には、ネジ部（図示せず）が形成され、このネジ部に一対のロック・ナット４３ａ，４３ｂが設けられている。また、ロック・ナット４３ａ側には、小径筒状部４０ｂの外側にブッシング４２が装着される。
【００４５】
上記一対のロック・ナット４３ａ，４３ｂは、端子箱１３ｂの壁面部１３ｂ１を挟み込むようにして、ケーブル管継手本体４０を端子箱１３ｂ側へ締め付け固定される。また、ケーブル管継手本体４０の径大筒状部４０ｃ側には、その外周に、ネジ部（図示せず）が形成され、このネジ部には、モータ側ケーブル管組立体１６をケーブル管継手本体４０側へ締め付け固定する袋ナット４１が設けられる。
【００４６】
すなわち、ケーブル管１６ａの開口端部側には外周フランジ部１６ａ１が形成され、この外周フランジ部１６ａ１が袋ナット４１の凹部面４１ａ側に係合した状態で、ケーブル管継手本体４０側へ締め付け固定されるようになっている。
【００４７】
また、モータ側ケーブル管組立体１６側の防水チューブ１９の開口端部とケーブル管１６ａの開口端部側には、この両開口端部に跨ってリング状の防水カラー４４が配設される。この防水カラー４４は、例えば一定の弾力性を有する硬質プラスチック製のものである。
【００４８】
更に、ケーブル管１６ａの開口端部と、防水カラー４４との間には、リング状のシールパッキング４５が配設される。
【００４９】
袋ナット４１が螺合されることにより、防水カラー４４およびシールパッキング４５とが圧縮された状態となり、両ケーブル管組立体１５，１６が強固に結合される。
【００５０】
従って、モータ側ケーブル管組立体１６と、ケーブル管継手本体４０との間は、防水カラー４４およびシールパッキング４５による一層の防水作用が得られるようになっている。
【００５１】
また、ケーブル管継手１８は、このケーブル管継手１８の他の実施例として図３（ａ）と同一部分に同一符号を附した図３（ｂ）に示すように、ケーブル管継手５１を設けるようにしてもよい。このケーブル管継手５１によれば、ケーブル管継手１８と比較してより一層液密性を向上させることができる。
【００５２】
すなわち、ケーブル管継手５１は、図３（ａ）の構成に加えて、シールパッキング４５と、ケーブル管１６ａの接合部を外側から塞ぐように、水滴封止材４６が配設された構成である。
【００５３】
この構成を採用することにより、シールパッキング４５と防水カラー４４およびケーブル管１６ａのそれぞれの間から水滴が浸入してきたとしても、水滴封止材４６にて吸水させて体積膨張なさしめ、上記水滴の浸入路を効果的に閉ざすことができるものである。
【００５４】
他方、モータ側ケーブル管組立体１６は、図４（ａ）にその構成を示すように、ケーブル管１６ａ内へ遊嵌状態に導入される防水チューブ１９と、防水チューブ１９内へ同じく遊嵌状態に導入される電気ケーブル２０と、この電気ケーブル２０と防水チューブ１９との間隙に配設される所定の寸法幅ｌを有する複数の水滴封止材４８…（１つのみを図示）とより構成される。
【００５５】
この水滴封止材４８…は、ケーブル管１６と防水チューブ１９との間隙内の要所に所定の間隔をとって断続的に配設されている。この場合に、水滴防止材４８…の配設位置は、水滴の侵入し易い部分を予め使用者をして想定したり、防水チューブ１９の断面中心がケーブル管１６ａの断面中心にほぼ合致するように配設することが望ましい。
【００５６】
水滴封止材４８…は、モータ側ケーブル管組立体１６内に断続的に配設されることにより、このケーブル管１６ａと防水チューブ１９との間隔ｓが保持されるようになっている。従って、防水チューブ１９の断面中心がケーブル管１６ａのほぼ中心に位置すると、ケーブル管１６ａの、どの位置から浸水があっても上記ｓ寸法の間隔が保持されているので、この浸水の更なる浸透を阻止することができる。
【００５７】
このように、ケーブル管１６ａと防水チューブ１９とを２重構成とすることによって水滴封止材４８…が吸水による膨張により、ケーブル管１６ａおよび防水チューブ１９の対向面側に圧着されるようになり、浸水した側における液密性をより一層向上させるようになっている。
【００５８】
なお、図４（ａ）に示すモータ側ケーブル管組立体１６の改良タイプのものとして、水滴封止材４８…の所望の位置に圧電センサを埋設して構成したものを用いることができる。
【００５９】
図４（ｂ）には、上述したモータ側ケーブル管組立体１６の改良タイプのものを示している。
【００６０】
この図４（ｂ）に示すモータ側ケーブル管組立体１６を、図４（ａ）に示すモータ側ケーブル管組立体１６と同一部分に同一符号を附して説明する。
【００６１】
モータ側ケーブル管組立体６１は、ケーブル管１６ａへ遊嵌状態に導入される防水チューブ１９と、防水チューブ１９内へ同じく遊嵌状態に導入される電気ケーブル２０と、この電気ケーブル２０と防水チューブ１９との間隙に配設される所定の寸法幅ｌを有する複数の水滴封止材６２…（１つのみを図示）とより構成される。この水滴封止材６２…は、ケーブル管１６ａと防水チューブ１９との間隙内の要所に所定の間隔をとって断続的に配設されている。
【００６２】
水滴封止材６２…は、水滴封止材本体６２ａと、圧電センサ６２ｂと、この圧電センサ６２ｂから発信される警報信号を送信する信号線６２ｃとから構成される。更に、水滴封止材６２…には、少なくとも何れか１つに、圧電センサ６２ｂが埋設される。
【００６３】
この圧電センサ６２ｂは、ケーブル管１６ａおよび防水チューブ１９側に対する加圧接触の影響で、この加圧された圧力を検出するものである。また、圧電センサ６２ｂは、水滴封止材６２の膨張力を検出したことにより、信号線６２ｃを通して図示しない、例えば警報装置側へ警報信号を送信するようになっている。
【００６４】
モータ側ケーブル管組立体６１のその他の構成は、モータ側ケーブル管組立体１６の構成と同様であるので説明を省略する。
【００６５】
また更に、図４（ｃ）には、モータ側ケーブル管組立体１６の、別改良タイプのものを示している。この図４（ｃ）に示すモータ側ケーブル管組立体７１を、図４（ａ）に示すモータ側ケーブル管組立体１６と同一部分に同一符号を附して説明する。
【００６６】
モータ側ケーブル管組立体７１は、ケーブル管１６ａと、当該ケーブル管１６ａへ遊嵌状態に導入される防水チューブ１９と、防水チューブ１９内へ同じく遊嵌状態に導入される電気ケーブル２０と、この電気ケーブル２０と防水チューブ１９との間隙に配設される所定の寸法幅ｌを有する複数の水滴封止材７２…（１つのみを図示）とより構成される。この水滴封止材７２…は、ケーブル管１６ａと防水チューブ１９との間隙内の要所に所定の間隙をとって断続的に配設されている。
【００６７】
水滴封止材７２…は、水滴封止材本体７２ａと、湿度センサ７２ｂと、この湿度センサ７２ｂから発信される警報信号を送信する信号線７２ｃとから構成される。更に、水滴封止材７２…の水滴封止材本体７２ａには、少なくとも何れか１つに、湿度センサ７２ｂが埋設される。
【００６８】
この湿度センサ７２ｂは、水滴封止材本体７２ａが吸水した場合に、この吸水により影響する所定の湿度を検出するものである。また、湿度センサ７２ｂは、所定の湿度を検出したことにより、信号線７２ｃを通して図示しない、例えば警報装置側へ警報信号を送信するようになっている。
【００６９】
モータ側ケーブル管組立体７１のその他の構成は、モータ側ケーブル管組立体１６の構成と同様であるので説明を省略する。
【００７０】
次に、貯水タンク装置１０の作用について図１〜図４を参照して説明する。
【００７１】
貯水タンク装置１０は、電気ケーブル２０を介して吸水ポンプ１３側へ電力を供給すると、駆動モータ１３ａが始動し運転を開始する。運転が開始すると、吸水ポンプ１３の働きにより、図示しない貯水槽側から貯水タンク１２側へ給水される。この吸水された水は、貯水タンク１２にて貯留され、この貯留された水が所期の目的に利用される。
【００７２】
ここで、貯水タンク１２にて貯留される水が、例えば長期間貯水されることにより、水滴が徐々に貯水タンク１２の壁体を浸透して壁表面まで至るようになる。壁表面まで至った水滴は、ケーブル管支持具２０を介して壁面側ケーブル管組立体１５のケーブル管１５ａ側の外側表面に伝わり、徐々にモータ側ケーブル管組立体１６のケーブル管１６ａ側へ滴るようになる。
【００７３】
壁面側ケーブル管組立体１５のケーブル管１５ａとモータ側ケーブル管組立体１６のケーブル管１６ａとの接合を行なうケーブル管継手１７においては、図２に示すようにケーブル管１６ａおよびケーブル管継手本体２２の間より浸水した場合には、シールパッキング３０の防水作用により、浸水を阻止する。
【００７４】
更にこの浸水が進んで、両ケーブル管組立体１５および１６の接合部から浸水しようとすると、水滴封止材３２が膨張することによる水滴封止作用により、更なる水滴の浸入を阻止する。
【００７５】
更には、この部分に浸水して、更にケーブル管１６ａおよび防水チューブ１９間に浸水すると、防水チューブ１９により、電気ケーブル２０までの浸水を阻止する。
【００７６】
このように、貯水タンク１２内に、例えば長期に亘って水が貯蔵され、また、この水が貯水タンク１２の壁面側から、ケーブル管支持具２０、更にはこのケーブル管支持具２０を介して両ケーブル管組立体１５および１６の表面から水分が染込んだり、更には、両ケーブル管組立体１５および１６の接合部から浸水しようとしたり、浸水した場合にでも、複数の浸水防止手段により電気ケーブル２０に対する浸水を防止し得ることができる。
【００７７】
従って、電気ケーブル２０に対する浸水が防止できることにより、電気ケーブル２０内の電線２０ａが腐食により断線して、通電、通信不良を起こして不通になったり、漏電や誤通信を誘発することがなく、安全かつ安心して使用することができる。
【００７８】
また、ケーブル管継手１８側は、水滴が壁面側ケーブル管組立体１５側から徐々にモータ側ケーブル管組立体１６のケーブル管１６ａ側へ滴るようになると、図３（ａ）に示すようにケーブル管１６ａおよびケーブル管継手本体４０の間より浸水した場合には、シールパッキング４５の防水作用により電気ケーブル２０側への浸水を阻止する。
【００７９】
更にこの浸水が進んで、モータ側ケーブル管組立体１６の開口端部側へ浸水しようとすると、防水カラー４４およびシールパッキング４５により浸水が阻止されるようになる。
【００８０】
更には、この部分に浸水して、更にケーブル管１６ａおよび防水チューブ１９間に浸水すると、防水チューブ１９により、電気ケーブル２０までの浸水を阻止する。
【００８１】
従って、電気ケーブル２０に対する浸水が防止できるので、電気ケーブル２０内の電線２０ａが腐食して断線し、通電、通信不良を起こして不通になったり、漏電や誤信を誘発することがなく、安全かつ安心して使用することができる。
【００８２】
他方、図３（ｂ）に示すケーブル管継手５１の場合においては、図３（ａ）に示すケーブル管継手１８の場合と比べて、ケーブル管１６ａの開口端部に圧接される水滴封止材４６により、一層の防水作用が得られるようになっている。すなわち、水滴封止材４６にて吸水させることにより、水滴封止材４６をして体積膨張ならしめ、上記水滴の浸入路を効果的に閉ざすことができるものである。
【００８３】
次に、モータ側ケーブル管組立体１６は、図４（ａ）に示すように、ケーブル管１６ａと防水チューブ１９間に、水滴が侵入してきた場合には、水滴封止材４８が吸水し、自己膨張する。この自己膨張により、水滴の浸入路を自動的に塞ぐようになり効果的に防水処置がなされる。
【００８４】
また、水滴防止材４８は、ケーブル管１６ａと防水チューブ１９との間隔ｓを均一に保つためのスペーサの役割をなすことができるため、ケーブル管１６ａ側から電気ケーブル２０側へ直接浸水するのを防止する作用をなす。
【００８５】
また、モータ側ケーブル管組立体６１においては、図４（ｂ）に示すように、ケーブル管１６ａと防水チューブ１９間に、水滴が浸入してきた場合には、水滴封止材６２にて吸水させることにより、当該水滴封止材６２をして上記特有の作用をなさしめ、上記水滴の浸入路を効果的に閉ざすことができるものである。
【００８６】
また、このモータ側ケーブル管組立体６１を採用する場合には、水滴封止材６２に埋設される圧電センサ６２ｂが、水滴封止材６２に自体が所定量吸水した場合に、自己膨張による圧力に基いて、警報信号が発せられ、使用者への注意を前以て喚起させることができる。
【００８７】
更には、モータ側ケーブル管組立体７１においては、図４（ｃ）に示すように、ケーブル管１６ａと防水チューブ１９間に、水滴が侵入してきた場合には、水滴封止材７２にて吸水させることにより、当該水滴封止材７２をして上記特有の作用をなさしめ、上記水滴の浸入路を効果的に閉ざすことができるものである。
【００８８】
また、このモータ側ケーブル管組立体７１を採用する場合には、水滴封止材７２に埋設される湿度センサ７２ｂが、水滴封止材７２自体が所定量吸水した場合に、水滴封止材７２に自体が所定量吸水した場合に、その吸水による湿度を検出して、警報信号が発せられ、使用者への注意を前以て喚起させることができる。
【００８９】
本発明に係るケーブル管組立体１５および１６の少なくとも一方、例えばケーブル管１６ａと防水チューブ１９との２重管構造である上に、このケーブル管１５ａ，１６ａの各開口端部間にシールパッキング３０（４５）を配設した構成としたから、より一層液密性を向上させることができる。
【００９０】
また、本発明に係るケーブル管組立体１５および１６を接合するケーブル管継手は、両ケーブル管１５ａ，１６ａを接合して、水が扱われる条件下で使用された場合、ケーブル管継手１６の防水作用をより一層確実に得ることができる。
【００９１】
また、ケーブル管継手２１（５１）を使用する場合においても、ケーブル管継手１６の場合と同様の作用を得ることができる。
【００９２】
更にまた、本発明に係る貯水タンク装置１０は、壁面部を通してケーブル管敷設装置１４側へ染み込む水滴が電気ケーブル２０内へ浸入することのない安全かつ確実な防水作用を得ることができる。
【００９３】
なお、貯水タンク装置１０に用いたケーブル管敷設装置１４として、壁面側ケーブル管組立体１５に剛性のものを、また、モータ側ケーブル管組立体１６に可撓性のものを用いたが、双方が剛性あるいは可撓性のものであってもよく、取り付け位置や取り付け方法により、その組み合わせは自由に選定できる。
【００９４】
例えば、双方が可撓性のものを用いる場合には、ケーブル管継手１７におけるケーブル管同士の接合部の剛性に高めるため、ケーブル管継手本体２２と壁面側ケーブル管組立体１５の接合をより強固にするのが望ましい。
【００９５】
また、本発明の実施形態によれば、ケーブル管敷設装置１４として、壁面側ケーブル管組立体１５およびモータ側ケーブル管組立体１６へ応用し、利用した例を示したが、この例に特定されることなく、例えば露天状態に設置したり、あるいは地下へ埋設して設けるようにすることも可能である。
【００９６】
更に、本発明に係る実施形態によれば、電気ケーブル２０として電線（被覆電線）を例示して説明したが、通信ケーブルや光通信ケーブルのような防水を必要とする各種通信ケーブルにも採用可能である。
【００９７】
更にまた、本発明に係る実施形態によれば、貯水タンク１２と吸水ポンプ１３との間を接続するケーブル管敷設装置１４を設けた例を示したが、これらの構造物に特定されなく、それぞれケーブルを接合して通電や通信を行なうため、ケーブル類を接続する所望の構造物同士であってもよい。
【図面の簡単な説明】
【００９８】
【図１】本発明のケーブル接合装置を貯水タンク装置に用いた応用例を示す概要図。
【図２】図１の一方のケーブル管継手の一部を縦断して示す拡大図。
【図３】図１の他方のケーブル管継手の一部を縦断して示す拡大図で、（ａ）および（ｂ）は、それぞれの実施例を概要図。
【図４】図１のモータ側ケーブル管組立体の一部を縦断して示す拡大図で、（ａ）〜（ｃ）は、それぞれの実施例を示す概要図。
【図５】従来の電気ケーブル用継手を示す要部の縦断面図。
【符号の説明】
【００９９】
１０  貯水タンク装置（ケーブル接合装置）
１１  設置面
１２  貯水タンク（一方の構造物）
１２ａ  壁面
１３  給水ポンプ（他方の構造物）
１３ａ  駆動モータ
１３ｂ  端子箱（ケーブル管導入部）
１３ｂ１  壁面部
１３ｂ２  貫通穴
１４  ケーブル管敷設装置
１５  壁面側ケーブル管組立体（構造物側ケーブル管組立体）
１５ａ，１６ａ  ケーブル管
１６，６１，７１  モータ側ケーブル管組立体（構造物側ケーブル管組立体）
１６ａ１，２２ａ，４０ａ  外周フランジ部
１７，１８，５１  ケーブル管継手
１９  防水チューブ
２０  電気ケーブル（ケーブル）
２０ａ  電線
２１  ケーブル管支持具
２２，４０  ケーブル管継手本体
２２ｂ，２２ｃ  筒状部
２３，４１  袋ナット
３０，４５  シールパッキング
３１  保持具
３２，４６，４８，６２，７２  水滴封止材
４０ｂ  小径筒状部
４０ｃ  径大筒状部
４１ａ  凹部面
４２  ブッシング
４３ａ，４３ｂ  ロック・ナット
４４  防水カラー
６２ａ，７２ａ  水滴封止材本体
６２ｂ  圧電センサ
６２ｃ，７２ｃ  信号線
７２ｂ  湿度センサ
【図１】
2005261137.tif 000003
【図２】
2005261137.tif 000004
【図３】
2005261137.tif 000005
【図４】
2005261137.tif 000006
【図５】
2005261137.tif 000007